(57)【要約】【課題】高い意匠性を確保しつつ、確実な止水性と施工作業の効率化を図ることができる壁パネルの結合構造を提供することにある。【解決手段】上端面に凸部が形成された下側壁パネル上に、下端面に上記凸部に嵌合する凹部が形成された上側壁パネルをさねはぎに接合する壁パネルの結合構造において、上記上端面は上記凸部裏面に下壁係止部を備え、上記壁パネル裏面側に上端面に垂直に当接する垂直部と、上記垂直部から上記上端面側に上記凸部上端近傍まで突設され上記凸部に係合する第１の係合部と、該第１の係合部の先端から延設され上記凸部上端において該凸部及び上記凹部間に水密に挟着される弾性部と、上記垂直部から上記上端面側に突設され上記上面係止部に係合し、上記第１の係合部と協働して該上面係止部を挟持する第２の係合部とを有する結合材を備える。【選択図】  図４
2007247148.tif 000002
【特許請求の範囲】
【請求項１】
上端面に凸部が形成された下側壁パネル上に、下端面に上記凸部に嵌合する凹部が形成された上側壁パネルをさねはぎに接合する壁パネルの結合構造において、
上記上端面は上記凸部裏面に下壁係止部を備え、
上記壁パネル裏面側に上端面に垂直に当接する垂直部と、
上記垂直部から上記上端面側に上記凸部上端近傍まで突設され上記凸部に係合する第１の係合部と、
該第１の係合部の先端から延設され上記凸部上端において該凸部及び上記凹部間に水密に挟着される弾性部と、
上記垂直部から上記上端面側に突設され上記上面係止部に係合し上記第１の係合部と協働して該上面係止部を挟持する第２の係合部と、
を有する結合材を備えることを特徴とする壁パネル結合構造。
【請求項２】
前記下端面は前記下端面の背面側端部に上壁係止部を備え、
前記結合材は、該垂直部から室内側に突設され上記下端面係止部に係合する第３の係合部を備え、
該第３の係合部が上記下端面係止部と係合することにより前記上側壁パネルの浮き上がりを防止することを特徴とする請求項１記載の壁パネル結合構造。
【発明の詳細な説明】
【技術分野】
【０００１】
本発明は、浴室等のユニットルームの壁面を構成する壁パネルの結合構造に係り、特に壁パネルを上下に複数架設する横積み構法の壁パネルの結合構造に関する。
【背景技術】
【０００２】
浴室等のユニットルームの壁面を構築する構法として、横長の複数の壁パネルを上下に積み重ねて接合する横積み構法と呼ばれるものがある。従来の床から天井までの高さの縦長の壁パネルを横方向に繋ぎ合わせていくことでユニットの壁を構築する構法では、壁面の表情が上から下まで均一化してしまい、変化に乏しいものとなるという恨みがあるが、横積み構法によれば、上方の壁パネルと下方の壁パネルとでその表面仕上げを変えることにより、或いは、壁の上下方向中間部に室内側への突条部を水平方向に連続的に形成することにより（例えば、特許文献１参照。）、壁面に変化を持たせることが可能となるという長所がある。
【０００３】
ところが、横積み構法では、上方の壁パネルと下方の壁パネルとの結合部が、水平方向に連続する長い線を形成するので、壁パネルの製造誤差や反りによって、この結合部に段差が生じて美観を損なう虞がある外、壁パネル接合後、後作業として壁パネル間の目地部を目地材やコーキング材によって止水する必要があるため、施工に長時間を要するばかりか、一旦接合した壁パネルの取り外し作業が困難で施工性が悪いという問題があった。
【０００４】
この問題を解決するものとして、上下端面の一方に凸部を他方に凹部を形成して成る複数の壁パネルを凹凸嵌合によって上下方向に積み重ねて結合する壁パネルの結合構造において、前記各壁パネルに形成された凸部の頂部に段部を形成し、隣り合う壁パネルの凹凸嵌合部内に、毛細管現象をカットするための空間を形成し、隣り合う壁パネルの凹凸嵌合部の凹部と凸部との間に止水材を介設した壁パネルの結合構造が知られている（例えば、特許文献２参照。）。
【０００５】
ここで、凸部の高さは凹部の深さよりも小さく設定されており、上方の壁パネルの下端面と下方の壁パネルの上端面とは、表面側（室内側）においては密着し、裏面側においては間隙が発生するように、上方の壁パネルの下端面の凹部を挟む端面の間には微小な段差が形成されている。
【０００６】
しかしながら、製造誤差等により表面側にも間隙が発生することは起こり得る。一方、壁パネルの凹部の壁パネルの凸部への嵌合が容易になされるように、各壁パネルにおいて凹部の幅は凸部の幅よりも僅かに大きく設定されているので、嵌合後の凹部と凸部１０間にも間隙が発生する。そうすると、室内側と裏面側とがこの間隙を介して連通されるので、凸部や毛細管現象をカットするための空間があっても、室内側から裏面側へと漏水する原因となりかねない。
【０００７】
また、この他に、この問題を解決するものとして、隣接する壁パネルの端面同士の間にスペーサを介在せしめ、両壁パネルの接合端面に形成された凹部と前記スペーサの凸部との嵌合によって両壁パネルを接合するとともに、両壁パネルの接合面間に目地材を介設して成る壁パネルの接合構造において、前記スペーサと前記目地材とを一体化してモール材を構成し、該モール材に、隣接する壁パネルの接合端面間の隙間を少なくとも内面側から覆う突起を一体に形成し、前記各壁パネルに形成された凹部とこれに嵌合する前記モール材との間の空間に止水材を介設した壁パネルの接合構造が提案されている（例えば、特許文献３参照。）。
【０００８】
この接合構造においても、上述した特許文献２に記載の結合構造同様、製造誤差等により間隙が生じ、室内側と裏面側とがこの間隙を介して連通される虞がある。そして、本接合構造では、下方の壁パネル凹部が室内側の接合端面より低い位置にあるので、室内側の接合端面から水が浸入すればこの凹部に溜まり易く、防水上より不利に働く。
【０００９】
ところで、この横積み構法の中には、コーナー支柱の上下に亘り、複数のスリットを設ける一方、複数の楔状の係入片を有するコーナー目地を備え、斯かるスリットに係入片を係入させてコーナー支柱とコーナー目地とにより壁パネルを挟持する構造のものがある。
【００１０】
この構造によれば、ビス止めやボルト締め等の工程がないので工数が減少し、工期の短縮、延いてはコストの低減が図れるというメリットがあるが、係入片とスリット周りとの摩擦のみで固定されるので、組立完了後であっても、地震等により上下にカが作用した場合に、係入片がスリットから外れ、壁パネルが落下する危険性がある。
【特許文献１】特開平１０−１１０５４６号公報
【特許文献２】特開２００４−３００７３１号公報
【特許文献３】特開２００４−３３９８８４号公報
【発明の開示】
【発明が解決しようとする課題】
【００１１】
本発明は、上述した事情を考慮してなされたもので、高い意匠性を確保しつつ、確実な止水性と施工作業の効率化を図ることができる壁パネルの結合構造を提供することにある。
【００１２】
本発明の他の目的は、ビス等を用いない固定方法による壁パネルの横積み構造であっても、地震時等に壁パネルが外れて落下することのない壁パネルの結合構造を提供することにある。
【課題を解決するための手段】
【００１３】
本発明に係る壁パネル結合構造は、上述した課題を解決するために、請求項１に記載したように、上端面に凸部が形成された下側壁パネル上に、下端面に上記凸部に嵌合する凹部が形成された上側壁パネルをさねはぎに接合する壁パネルの結合構造において、上記上端面は上記凸部裏面に下壁係止部を備え、上記壁パネル裏面側に上端面に垂直に当接する垂直部と、上記垂直部から上記上端面側に上記凸部上端近傍まで突設され上記凸部に係合する第１の係合部と、該第１の係合部の先端から延設され、上記凸部上端において該凸部及び上記凹部間に水密に挟着される弾性部と、記垂直部から上記上端面側に突設され上記上面係止部に係合し上記第１の係合部と協働して該上面係止部を挟持する第２の係合部とを有する結合材を備える。
【００１４】
好適には、請求項２に記載したように、前記下端面は前記下端面の背面側端部に上壁係止部を備え、前記結合材は、該垂直部から室内側に突設され上記下端面係止部に係合する第３の係合部を備え、該第３の係合部が上記下端面係止部と係合することにより前記上側壁パネルの浮き上がりを防止する構成とすることが望ましい。
【発明の効果】
【００１５】
本発明に係る壁パネル結合構造によれば、高い意匠性を確保しつつ、確実な止水性と施工作業の効率化を図ることができる。また、本発明は、ビス等を用いない固定方法による壁パネルの横積み構造であっても、地震時等に壁パネルが外れて落下することのない壁パネルの結合構造が得られる効果がある。
【発明を実施するための最良の形態】
【００１６】
本発明に係る浴室ユニット支柱立設構造の実施の形態について、添付図面を参照して説明する。図１は、本発明に係る壁パネル結合構造を採用した浴室ユニットの概要を示す斜視図である。
【００１７】
本実施形態に示された浴室ユニット１の床パン１０は、洗い場部１５と浴槽載置部１６とに大別される。洗い場部１５は、ＢＭＣやＳＭＣ等のＦＲＰで成形され、浴槽載置部１６と対向する辺以外の三方の外縁は、壁パネルやドア枠を載置可能な壁パネル載置部１４として同一レベルに形成され、浴槽載置部１６と対向する辺の中央に設けられた排水凹部１７を指向して下り勾配が形成されている。
【００１８】
浴槽載置部１６は、ＥＰＰ、ＥＰＥ等のプラスチック系の材料を発泡成形させた断熱材で形成され、漏水を防止する外、浴槽内に溜められた湯の熱が浴槽裏面から伝導、放射することを防止する。この浴槽載置部１６は、図示しない浴槽の底面に位置する底部１６ａと、洗い場部１５に対向する側を除く三方に、この底部の外縁から延出し浴槽の上端周囲が外方へ拡開延出するリムの高さ近くまで立設された側部１６ｂとを備える。なお、この浴槽載置部１６は、従来の床パンのように、洗い場部１５と浴槽載置部１６とがＦＲＰで一体の形成されたものであってもよい。
【００１９】
同図に示すように、洗い場部１５及び浴槽載置部１６上の各出隅部には、コーナー支柱２０が立設され、隣接するコーナー支柱２０，２０の頂部には、支柱連結材４０が架設される。
【００２０】
浴室ユニット１の壁面は、下側壁パネル５０Ａの上に上側壁パネル５０Ｂ（以下総称する場合は、壁パネル５０と呼ぶ。）が載置される所謂横積み構法で構成される。なお、本実施形態では、壁面は下側壁パネル５０Ａと上側壁パネル５０Ｂとの２段で構成される場合を例にとって説明するが、これは３段或いはそれ以上の段数を有するものであってもよい。
【００２１】
壁パネル５０の室内側の表面材５１は、図３に示すように、化粧鋼板等で、また、室外側の裏面材５２は鋼板等で形成され、両者は、両側縁部を除いてプラスターボード、石綿、グラスウール等の芯材５３に貼着され一体化される。なお、本実施形態では、表面材５１が面する側を室内側、裏面材５２が面する側を裏面側と呼ぶ。表面材５１は、側縁部を背面方向（室外側）へ略直角に折曲げた折曲片５４を形成する。
【００２２】
コーナー支柱２０は、図２に示すように、細長い、例えば亜鉛メッキ鋼板等を折曲加工したもので、その短手方向断面は、中央のコーナー目地掛合部３０ａと、このコーナー目地掛合部２０ａの両側端で４５度の角度で折曲された壁パネル受け部２０ｂ，２０ｂとからなる。コーナー目地掛合部２０ａには、所定の間隔で、コーナー目地材２６の係入片２０ｄが係入される複数のスリット２０ｄが穿設されている。
【００２３】
コーナー目地材２６は、図２に示すように、目地本体２６ａと、支持部２６ｃとを備える。目地本体２６ａは、ＡＢＳ樹脂等の硬質プラスチックを細長い略三角柱状に成形したものであり、壁パネル５０と、直交するもう一方の壁パネル５０との突き合わせ端部を掩蔽し、水密性及び意匠性を高めるものである。
【００２４】
支持部２６ｃは、例えばステンレス鋼板を２つに折曲して断面が略Ｙ字状の棒体に形成される。支持部２６ｃには、一定の間隔で係入片２６ｄが複数突設される。この係入片２６ｄが、コーナー支柱２０に穿設されたスリット２０ｄに係入されることにより、壁パネル５０がコーナー目地材２６及びコーナー支柱２０に挟持される。
【００２５】
コーナー目地材２６の係入片２６ｄを、コーナー支柱２０のスリット２０ｃに係入させて、コーナー目地材２６を取り付けると、図４３示すように、壁パネル５０，５０Ａは、コーナー支柱２０とコーナー目地材２６とに挟持され、堅固に固定される。
【００２６】
以下、本願発明に係る壁パネルの結合構造の一例について説明する。図４は、下側壁パネル５０Ａと上側壁パネル５０Ｂが結合される前の、図５は結合後のそれぞれ壁パネルの結合部分周りの部分断面図を示すものである。
【００２７】
壁面の下側に位置する壁パネル５０Ａの表面材５１の上端面５１ａは、裏面側へ略逆Ｖ字状に折曲されて凸部５１ｂが形成された後、水平に裏面側へと延出する。ここで、凸部５１ｂの裏側、すなわち、逆Ｖ字の谷側は、後述する結合材６０の第２の係合部６０ｃが係合される下壁係止部５１ｃとして機能する。
【００２８】
他方、壁面の下側に位置する壁パネル５０Ｂの表面材５１の下端面５１ｄは、裏面側へ、凸部５１ｂに嵌合する形状の凹部５１ｅに形成された後、水平に裏面側へと延出し、その先端はさらに折曲されて上壁係止部５１ｆが形成される。
【００２９】
下側壁パネル５０Ａの凸部５１ｂには、事前に結合材６０が、凸部５１ｂの全長に亘って取設されている。結合材６０は、壁パネル５０Ａの表面材５１の上側終端に垂直に当接する垂直部６０ａと、この垂直部６０ａの室内側側面から突出する第１係合部６０ｂ及び第２係合部６０ｃと、垂直部６０ａの上端が室内側へ折曲形成された第３係合部６０ｄ、並びに第１係合部６０ｂの先端に取設された弾性部６０ｅより成る。
【００３０】
第１係合部６０ｂは凸部５１ｂに係合するように形成され、第２係合部は第２係合部５１ｃに係合する形状に形成される。結合材６０は、第１及び第２係合部５１ｂ，５１ｃが協働して凸部５１ｂを挟持することより、下側壁パネル５０Ａに取設される。これにより、結合部６０は下側壁パネル５０Ａに強固に固定され、例えば、地震等による上下動が起こっても下側壁パネル５０Ａから外れることはない。
【００３１】
これら垂直部６０ａ、第１係合部６０ｂ、第２係合部６０ｃ及び第３係合部６０ｄが硬質合成樹脂等を押出成形して形成されるのに対し、第１係合材６０ｂの先端に接着され、凸部５１ｂの略頂点に位置する弾性材６０ｅは、軟質合成樹脂から略Ｖ字形に屈曲成形される。
【００３２】
次に、本実施形態に係る壁パネル結合構造の組立要領について説明する。結合材６０が取設された下側壁パネル５０Ａが所定の位置に立設されると、上側壁パネル５０Ｂを下側壁パネル５０Ａの上から、凹部５１を形成する壁部のうち上壁係止部５１ｆを含む側が結合材６０の垂直部６０ａと第１係合部６０ｂとの間に形成される空間内に嵌合させるように降ろしていく。
【００３３】
そして、上壁係止部５１ｆがこの空間内に完全に嵌合すると、上側係止部５１が第３係合部６０ｄがその上端に係合されて容易に引き抜くことができなくなる。したがって、施工時等において不用意に上壁パネル５０Ｂが外れてくることがなく、安全性が向上する。また、上下の壁パネルが長さ方向全長にわたって固定されるので、壁接続強度が上がる。特に、地震等による上下動が起こっても上側壁パネル５０Ｂが結合材６０から浮き上がることが防止されるという効果がある。
【００３４】
このように凹部５１ｅが凸部５１ｂに嵌合すると、上側壁パネル５０Ｂと下側壁パネル５０Ａとがさねはぎに結合される。そうすると、弾性部６０ｅが、凸部５１ｂ及び凹部５１ｅとに凹圧され屈曲して、上端面５１ａと下端面５１ｄとの間の隙間は水密に封止される。弾性材６０ｅは、上側壁パネル５０Ｂの自重により押圧されるのみならず、第３係合部６０ｄと上壁係止部５１ｆとの係合によって上側壁パネル５０Ｂの浮き上がりが規制されるので、より確実な止水性を得ることができる。
【００３５】
これにより、室内側においては、結合された壁パネル５０Ａ，５０Ｂ間の目地幅が最小限に抑えられ、清掃性が確保されるとともに、コーキング材や目地材を用いた止水処理が不用となるため、施工不良を抑えられ、また、施工時間が短縮される。さらに、壁パネル５０Ａ，５０Ｂの目地部にコーキング材や目地材等が存在しない為、カビの発生が抑えられる。
【００３６】
又、前述のように壁パネルを結合させた状態において壁パネル１Ｂに形成されている凹部１１の端部１１ａを壁パネル１Ａに形成されている凸部１０に取り付けられている止水材１２の端部１２ｂがロック構造となって、壁パネルが外れづらくなっている為、表面側（バスルーム側）においては、結合された壁パネル１Ａ，１Ｂ間の目地幅が最小限に抑えられ、清掃性が確保されるとともに、コーキング材や目地材を用いた止水処理が不用となるため施工不良を抑えられたり、施工時間が短縮される。又、壁パネル１Ａ，１Ｂの目地部にコーキング材や目地材等が存在しない為、カビの発生が抑えられる。このように、本願発明によれば、止水性と強度との向上を同時に実現することが可能となる。
【００３７】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００３８】
【図１】本発明に係る壁パネル結合構造を採用した浴室ユニットの概要を示す斜視図。
【図２】本実施形態に係るコーナー支柱周りの分解斜視図。
【図３】本実施形態に係る壁パネル及びコーナー支柱の横断面図。
【図４】結合前の隣接する壁パネルの結合部分周りの部分断面図。
【図５】結合後の隣接する壁パネルの結合部分周りの部分断面図。
【符号の説明】
【００３９】
１  浴室ユニット
１０  床パン
１４  壁パネル載置部
１５  洗い場部
１６  浴槽載置部
１７  排水凹部
２０  コーナー支柱
２６  コーナー目地材
４０  支柱連結材
５０  壁パネル
５０Ａ  下側壁パネル
５０Ｂ  上側壁パネル
５１  表面材
５１ａ  上端面
５１ｂ  凸部
５１ｃ  下壁係止部
５１ｄ  下端面
５１ｅ  凹部
５１ｆ  上壁係止部
５２  裏面材
５３  芯材
５４  折曲片
６０  結合材
６０ａ  垂直部
６０ｂ  第１係合部
６０ｃ  第２係合部
６０ｄ  第３係合部
６０ｅ  弾性部
【図１】
2007247148.tif 000003
【図２】
2007247148.tif 000004
【図３】
2007247148.tif 000005
【図４】
2007247148.tif 000006
【図５】
2007247148.tif 000007